(57)【特許請求の範囲】
【請求項１】
ワイヤレス通信の方法であって、
ユーザ機器(UE)不連続送信(DTX)をトリガすることになる音声構成のリストを維持するステップであって、前記音声構成は、ネットワークと通信するために前記UEによって利用される1つまたは複数の設定を定義する、ステップと、
前記ネットワークから前記UEについての最新音声構成を受信するステップと、
前記ネットワークから受信された前記UEの前記最新音声構成が、UE DTXをトリガすることになる音声構成の前記リストの中の既知の音声構成と一致するかどうかを判断するステップと、
UEの前記最新音声構成が音声構成の前記リストの中の前記既知の音声構成と一致するときに、前記UEにおいてアップリンクUE DTXを有効化するステップと
を含む方法。
【請求項２】
前記UE DTXを有効化するステップは、前記UEにおいて自律的にアクティブ化するステップを含む、請求項1に記載の方法。
【請求項３】
アップリンクUE DTXを有効化するステップは、パイロット信号、トランスポートフォーマット組合せインジケータ(TFCI)、およびフィードバック情報(FBI)ビットのうちの1つまたは複数の送信を無効化するステップを含む、請求項1に記載の方法。
【請求項４】
送信時間間隔(TTI)の後半の送信の一部をブランキングするステップをさらに含む、請求項1に記載の方法。
【請求項５】
前記ブランキングするステップは、複数の短い持続時間ブロックで発生する、請求項4に記載の方法。
【請求項６】
前記アップリンクUE DTXを有効化するステップは、送信電力レベルがしきい値を下回るときに送信をブランキングするステップを含む、請求項1に記載の方法。
【請求項７】
前記アップリンクUE DTXを有効化するステップは、送信時間間隔(TTI)の各フレーム内の異なるロケーションでブランキングするステップを含む、請求項1に記載の方法。
【請求項８】
前記ブランキングするステップは、複数の短い持続時間ブロックで発生する、請求項7に記載の方法。
【請求項９】
前記ブランキングするステップは、送信電力レベルがしきい値を下回るときに発生する、請求項7に記載の方法。
【請求項１０】
前記アップリンクUE DTXを有効化するときに、前記ネットワークからダウンリンクで受信された送信電力制御(TPC)シンボルを無視するステップをさらに含む、請求項1に記載の方法。
【請求項１１】
ワイヤレス通信の装置であって、
少なくとも1つのプロセッサと、
前記少なくとも1つのプロセッサに結合されたメモリと
を含み、
前記少なくとも1つのプロセッサは、
ユーザ機器(UE)不連続送信(DTX)をトリガすることになる音声構成のリストを維持する
ように構成され、前記音声構成は、ネットワークと通信するために前記UEによって利用される1つまたは複数の設定を定義し、
前記少なくとも1つのプロセッサは、さらに、
前記ネットワークから前記UEについての最新音声構成を受信し、
前記ネットワークから受信された前記UEの前記最新音声構成が、UE DTXをトリガすることになる音声構成の前記リストの中の既知の音声構成と一致するかどうかを判断し、
UEの前記最新音声構成が音声構成の前記リストの中の前記既知の音声構成と一致するときに、前記UEにおいてアップリンクUE DTXを有効化する
ように構成される、装置。
【請求項１２】
前記少なくとも1つのプロセッサは、前記UEにおいて前記UE DTXを自律的に有効化するように構成される、請求項11に記載の装置。
【請求項１３】
アップリンクUE DTXを有効化するために、前記少なくとも1つのプロセッサは、パイロット信号、トランスポートフォーマット組合せインジケータ(TFCI)、およびフィードバック情報(FBI)ビットのうちの1つまたは複数の送信を無効化するように構成される、請求項11に記載の装置。
【請求項１４】
前記少なくとも1つのプロセッサは、送信時間間隔(TTI)の後半の送信の一部をブランキングするようにさらに構成される、請求項11に記載の装置。
【請求項１５】
前記少なくとも1つのプロセッサは、複数の短い持続時間ブロックでブランキングするように構成される、請求項14に記載の装置。
【請求項１６】
アップリンクUE DTXを有効化するために、前記少なくとも1つのプロセッサは、送信電力レベルがしきい値を下回るときに送信をブランキングするようにさらに構成される、請求項11に記載の装置。
【請求項１７】
前記少なくとも1つのプロセッサは、送信時間間隔(TTI)の各フレーム内の異なるロケーションでブランキングするようにさらに構成される、請求項11に記載の装置。
【請求項１８】
前記少なくとも1つのプロセッサは、複数の短い持続時間ブロックでブランキングするように構成される、請求項17に記載の装置。
【請求項１９】
前記少なくとも1つのプロセッサは、送信電力レベルがしきい値を下回るときに送信をブランキングするように構成される、請求項17に記載の装置。
【請求項２０】
前記少なくとも1つのプロセッサは、前記アップリンクUE DTXを有効化するときに、前記ネットワークからダウンリンクで受信された送信電力制御(TPC)シンボルを無視するようにさらに構成される、請求項11に記載の装置。
【請求項２１】
ワイヤレス通信のための装置であって、
ユーザ機器(UE)不連続送信(DTX)をトリガすることになる音声構成のリストを維持するための手段であって、前記音声構成は、ネットワークと通信するために前記UEによって利用される1つまたは複数の設定を定義する、手段と、
前記ネットワークから前記UEについての最新音声構成を受信するための手段と、
前記ネットワークから受信された前記UEの前記最新音声構成が、UE DTXをトリガすることになる音声構成の前記リストの中の既知の音声構成と一致するかどうかを判断するための手段と、
UEの前記最新音声構成が音声構成の前記リストの中の前記既知の音声構成と一致するときに、前記UEにおいてアップリンクUE DTXを有効化するための手段と
を含む装置。
【請求項２２】
プロセッサに実行されたときに、前記プロセッサに
ユーザ機器(UE)不連続送信(DTX)をトリガすることになる音声構成のリストを維持させる
コードを含み、前記音声構成は、ネットワークと通信するために前記UEによって利用される1つまたは複数の設定を定義し、
前記プロセッサに、さらに、
前記ネットワークから前記UEについての最新音声構成を受信させ、
前記ネットワークから受信された前記UEの前記最新音声構成が、UE DTXをトリガすることになる音声構成の前記リストの中の既知の音声構成と一致するかどうかを判断させ、
UEの前記最新音声構成が音声構成の前記リストの中の前記既知の音声構成と一致するときに、前記UEにおいてアップリンクUE DTXを有効化させる
コードを含む、非一時的コンピュータ可読記録媒体。
【発明の詳細な説明】
【技術分野】
【０００１】
米国特許法第119条に基づく優先権の主張
本特許出願は、本出願の譲受人に譲渡され、参照により本明細書に明確に組み込まれる、2013年3月25日に出願された「METHOD AND APPARATUS FOR UE-ONLY DISCONTINUOUS-TX SMART BLANKING」と題する米国仮出願第61/804,956号の優先権を主張する。
【０００２】
本開示の態様は全般にワイヤレス通信システムに関し、より詳細には、ユーザ機器(UE)の電力全体を節約するようにUE限定不連続送信(DTX)スマートブランキングを改善し、それによって、ワイヤレス通信システムにおいて一貫したサービスを提供するための装置および方法に関する。
【背景技術】
【０００３】
電話、ビデオ、データ、メッセージング、ブロードキャストなどの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS Terrestrial Radio Access Network(UTRAN)である。UTRANは、第3世代パートナーシッププロジェクト(3GPP)によってサポートされる第3世代(3G)モバイルフォン技術である、ユニバーサルモバイル通信システム(UMTS:Universal Mobile Telecommunications System)の一部として定義される無線アクセスネットワーク(RAN)である。UMTSは、モバイル通信用グローバルシステム(GSM(登録商標))技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSDPA)のような、改良型の3Gデータ通信プロトコルもサポートする。
【０００４】
モバイルブロードバンドアクセスに対する要求が増し続けるにつれて、研究開発は、モバイルブロードバンドアクセスに対して高まる要求を満たすためだけでなく、モバイル通信によるユーザ経験を進化させかつ向上させるためにも、UMTS技術を進化させ続けている。
【０００５】
したがって、UEの電力全体を節約するようにUE限定DTXスマートブランキングを改善するためのこの装置および方法の態様。
【発明の概要】
【課題を解決するための手段】
【０００６】
以下では、1つまたは複数の態様を基本的に理解してもらうために、そのような態様の簡略化された概要を提示する。この概要は、すべての考察された態様の包括的な概要ではなく、すべての態様の主要または重要な要素を識別するものではなく、いずれかまたはすべての態様の範囲を定めるものでもない。その唯一の目的は、後に提示されるより詳細な説明の導入として、1つまたは複数の態様のいくつかの概念を簡略化された形で提示することである。
【０００７】
一態様では、ワイヤレス通信の方法は、UE DTXをトリガすることになる音声構成のリストを維持するステップと、ネットワークからUEについての最新音声構成を受信するステップとを含む。また、本方法は、ネットワークから受信されたUEの最新音声構成が、UE DTXをトリガすることになる音声構成のリストの中にあるかどうかを判断するステップを含む。さらに、本方法は、UEの最新音声構成が音声構成のリストの中にあるときに、UEにおいてアップリンクUE DTXを有効化するステップを含む。
【０００８】
別の態様では、ワイヤレス通信のための装置は、UE DTXをトリガすることになる音声構成のリストを維持し、ネットワークからUEについての最新音声構成を受信するように構成されたプロセッサを含む。また、プロセッサは、ネットワークから受信されたUEの最新音声構成が、UE DTXをトリガすることになる音声構成のリストの中にあるかどうかを判断するように構成される。さらに、プロセッサは、UEの最新音声構成が音声構成のリストの中にあるときに、UEにおいてアップリンクUE DTXを有効化するように構成される。
【０００９】
別の態様では、ワイヤレス通信のための装置は、UE DTXをトリガすることになる音声構成のリストを維持するための手段と、ネットワークからUEについての最新音声構成を受信するための手段を含む。また、本装置は、ネットワークから受信されたUEの最新音声構成が、UE DTXをトリガすることになる音声構成のリストの中にあるかどうかを判断するための手段を含む。さらに、本装置は、UEの最新音声構成が音声構成のリストの中にあるときに、UEにおいてアップリンクUE DTXを有効化するための手段を含む。
【００１０】
また別の態様では、ワイヤレス通信のための非一時的コンピュータ可読媒体は、UE DTXをトリガすることになる音声構成のリストを維持し、ネットワークからUEについての最新音声構成を受信するための機械実行可能コードを含む。また、コードは、ネットワークから受信されたUEの最新音声構成が、UE DTXをトリガすることになる音声構成のリストの中にあるかどうかを判断するように実行可能であり得る。さらに、コードは、UEの最新音声構成が音声構成のリストの中にあるときに、UEにおいてアップリンクUE DTXを有効化するように実行可能であり得る。
【００１１】
上記のおよび関連の目的を達成するために、1つまたは複数の態様は、以下で十分に説明され、特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が使用され得る様々な方法のうちのいくつかを示すものにすぎず、この説明は、そのようなすべての態様およびそれらの等価物を含むものとする。
【図面の簡単な説明】
【００１２】
【図１】ワイヤレス通信システムにおける呼処理構成要素の一態様を示す概略図である。
【図２】図1の呼処理構成要素のより詳細な態様を示す概略図である。
【図３】図1の呼処理構成要素の別のより詳細な態様を示す別の概略図である。
【図４】ワイヤレス通信システムにおけるUEでの呼処理の一方法の一態様を示すフロー図である。
【図５】ネットワーク環境内の小規模セルを含む通信システムの一態様を示す概略図である。
【図６】本開示による、呼処理構成要素を含むコンピュータデバイスの態様を示すブロック図である。
【図７】本明細書で説明する機能を実行するために呼処理構成要素を実行する処理システムを使用する装置のハードウェア実装の一例を示すブロック図である。
【図８】本明細書で説明する機能を実行するように構成されたユーザ機器を含むワイヤレスネットワークの一態様の概略図である。
【図９】本明細書で説明する機能を実行するように構成されたユーザ機器を含むワイヤレスネットワークの一態様の概略図である。
【図１０】本明細書で説明する機能を実行するように構成された電気通信システムにおいてUEと通信しているNode Bの一例を概念的に示すブロック図である。
【発明を実施するための形態】
【００１３】
添付の図面に関して以下に記載する詳細な説明は、様々な構成の説明として意図されており、本明細書に記載される概念が実施され得る唯一の構成を表すことを意図していない。詳細な説明は、様々な概念の完全な理解をもたらす目的で、具体的な詳細を含んでいる。しかし、これらの概念がこれらの具体的な詳細なしに実践され得ることが、当業者には明らかであろう。場合によっては、そのような概念を曖昧にするのを回避する目的で、周知の構造および構成要素がブロック図の形式で示される。
【００１４】
現在、送信(TX)チェーンの動作は、送信電力に応じて、音声呼中のUEの電力消費全体の大きな割合、多くの場合、モデム電力全体の35%〜90%を占める。実際、現在のUMTSの仕様は、Release‘99(R99)の音声呼中に連続TXトラフィックがあり、結果的にUEの電力消費全体が大きくなり得ることを示している。しかしながら、いくつかの音声構成では、送信機が音声トラフィック中の期間に無効化され得るように作られる十分なコーディング利得がある。したがって、本開示によれば、送信機は既存のR99展開に依然として適合しつつ、ネットワーク側における明白な認識なしにシャットダウンすること、たとえば、UE限定不連続送信(DTX)スマートブランキングが可能であり得る。したがって、UE限定DTXスマートブランキングを利用することによって、モデム電力全体の相当な節約が達成され得る。
【００１５】
本明細書で使用するUE限定DTXスマートブランキングは、UE DTX、またはUE限定DTX、またはスマートブランキングと呼ばれることもあり、限定はしないが、トラフィックフレームのいくつかの部分がネットワーク側における明白な認識またはネットワーク側との協調なしに送信されない場合を含み得ることに留意されたい。たとえば、UEがアップリンク上での非アクティビティ期間を有し得るとき、UEによって実行されるUE DTXは、アップリンク上でのトラフィックフレームの部分の送信をオフにする。またこれは、少なくともいくつかの場合には、受信側ネットワークエンティティがUEから信号を連続的に受信するように動作しているとき、またはUEと協調して不連続受信(DRX)モードで動作してはいないときでも、行われる。言い換えれば、UEはネットワークエンティティに通知せずにUE DTXを自律的にアクティブ化することができる。
【００１６】
UE DTXの最小限の使用に関連する結果は、低いTX電力レベルでモデム電力消費全体の節約の大幅な向上が達成され得ることを示している。UEの電力を節約するために、本装置および方法は、アクティブ音声呼中にUEからのアップリンク送信を選択的に無効化することができる。適応マルチレート(AMR:adaptive multi-rate)音声は通常、1/3または1/2のレートで活発にコーディングされ、トランスポートフォーマット組合せインジケータ(TFCI:Transport Format Combination Indicator)は大きいコーディング利得を有するので、短い持続時間のアップリンク送信スマートブランキングの平均TX送信電力レベルの上昇は最小限であり、UE電力消費の節約は著しい。
【００１７】
しかしながら、R99音声呼中にTXを無効化することは、TX動作を変更する時および期間に関するインテリジェントな選択を必要とする。これは、変更されたTX動作のネットワーク認識がないときに特に重要である。無作為なTX無効化は、平均TX送信電力レベルの大幅な上昇およびTX能力の低下につながること、またはネットワークがUEとの同期を失い、呼をドロップすることにつながることがある。
【００１８】
したがって、本装置および方法の態様は、UEの電力全体を節約するためのUE限定DTXスマートブランキングを提供する。
【００１９】
図1を参照すると、一態様では、ワイヤレス通信システム100が、モバイルデバイスからネットワークに大量のデータを送信するのを容易にするように構成される。ワイヤレス通信システム100は、1つまたは複数のワイヤレスリンク125により、限定はしないが、ワイヤレスサービングノード116を含むそれぞれの1つまたは複数のサービングノードを介して、1つまたは複数のネットワーク112とワイヤレス通信することができる少なくとも1つのUE114を含む。1つまたは複数のワイヤレスリンク125は、限定はしないが、シグナリング無線ベアラおよび/またはデータ無線ベアラを含むことができる。ワイヤレスサービングノード116は、1つもしくは複数のワイヤレスリンク125を介してUE114に1つもしくは複数の信号123を送信するように構成され得、かつ/またはUE114は、ワイヤレスサービングノード116に1つもしくは複数の信号124を送信し得る。一態様では、信号123および信号124は、限定はしないが、たとえば、ワイヤレスサービングノード116を介してUE114からネットワークにデータまたはシグナリングを送信し得る1つまたは複数のメッセージを含み得る。本態様によれば、UE114は、UE114上の電力を節約するためにUE DTXを実行するように構成された、言い換えれば、アクティブ音声呼中にUE114からのアップリンク送信を選択的に無効化するように構成された呼処理構成要素240をさらに含み得る。たとえば、一態様では、呼処理構成要素240は、音声呼で使用される音声構成、たとえば音声送信を符号化するための音声または発話コーディングアルゴリズムまたはコーデックに基づいて、UE DTXを実行することができる。
【００２０】
UE114は、モバイル装置を含み得、本開示を通じてそのように呼ばれ得る。そのようなモバイル装置またはUE114は、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアントと呼ばれるか、または何らかの他の適切な用語で呼ばれることもある。
【００２１】
さらに、限定はしないが、ワイヤレス通信システム100のワイヤレスサービングノード116を含む1つまたは複数のワイヤレスノードは、基地局またはノードB、リレー、ピアツーピアデバイス、認証、認可、課金(AAA)サーバ、モバイル交換センター(MSC)、無線ネットワークコントローラ(RNC)などを含むアクセスポイントなどの任意のタイプのネットワーク構成要素のうちの1つまたは複数を含み得る。さらなる態様では、ワイヤレス通信システム100の1つまたは複数のワイヤレスサービングノードは、1つまたは複数の小規模基地局、たとえば、限定はしないが、フェムトセル、ピコセル、マイクロセル、または任意の他の小規模基地局を含み得る。
【００２２】
図2を参照すると、上記のように、本装置および方法の一態様では、ワイヤレス通信システム100が、ネットワーク112とUE114との間のワイヤレス通信を含むように構成される。ワイヤレス通信システム100は、任意の数のユーザの間の通信をサポートするように構成され得る。ワイヤレス通信システム100は、ネットワーク112とUE114との間の上および下の矢印によってそれぞれ表されるように、ダウンリンクメッセージ送信またはアップリンクメッセージ送信のために構成され得る。
【００２３】
一態様では、UE114内に呼処理構成要素240が存在する。呼処理構成要素240は、特に、UE DTXをトリガすることになる音声構成のリストを維持することが可能な維持構成要素242と、ネットワークからUEについての最新音声構成を受信することが可能な受信構成要素244と、ネットワークから受信されたUEの最新音声構成が、UE DTXをトリガすることになる音声構成のリストの中にあると判断することが可能な判断構成要素246と、UEの最新音声構成が音声構成のリストの中にあるときに、UEにおいてアップリンクUE DTXを有効化することが可能な有効化構成要素248を含むように構成され得る。これらの構成要素は、UE114のTX動作を変更する時および期間をインテリジェントに選択することによって、UE114上の電力を節約するために、アクティブ音声呼中にUE114からのアップリンク送信を選択的に無効化するように構成される。
【００２４】
図3を参照すると、UE114上の電力を節約するために、アクティブ音声呼中にUE114からのアップリンク送信を選択的に無効化するように相互動作する追加の構成要素を含む、図1および図2の呼処理構成要素240のより詳細な態様が定義され得る。この態様では、呼処理構成要素240は、UE DTXをトリガすること、またはさもなければUE DTXの使用を有効化することのある音声構成のリストを維持することが可能な維持構成要素242を含むように構成され、この音声構成のリストは適応マルチレート(AMR)音声構成を含む。たとえば、維持構成要素242は、UE114内に位置しており、音声構成リスト322を維持するように構成されてよく、UE DTXの使用は、音声構成リスト322において見出される音声構成、たとえば特定の1つまたは複数のコーデックを利用する音声呼のための送信に基づき得る。本明細書で呼ばれるUE DTXという用語は、UEがネットワーク側の認識なしにアクティブ呼中に短い持続時間のアップリンク送信ブランキングを有効化する状況または状態を示している。
【００２５】
別の態様では、呼処理構成要素240は、ネットワークからUEについての最新音声構成を受信することが可能な受信構成要素244を含むように構成される。たとえば、ネットワーク112との呼中に、UE114は、ネットワーク112から最新音声構成324を受信することがあり、ここで最新音声構成324は、ネットワーク112と通信するためにUE114によって利用されるべき1つまたは複数の設定またはパラメータを定義する。また、一態様では、音声構成324は、TX動作を変更する時および期間、たとえばUE DTXを実行する時を決定するために使用され得る。
【００２６】
別の態様では、呼処理構成要素240はまた、ネットワークから受信されたUEの最新音声構成が、UE DTXをトリガすること、またはさもなければUE DTXの使用を有効化することになる音声構成のリストの中にあると判断することが可能な判断構成要素246を含むように構成され得る。たとえば、ネットワーク112から最新音声構成324を受信した後、判断構成要素246は、最新音声構成324が音声構成リスト322の中にある、またはさもなければ音声構成リスト322中の既知の音声構成と一致すると判断するように構成される。
【００２７】
たとえば、呼処理構成要素240は、UE DTXをトリガすること、またはさもなければUE DTXの使用を可能にすることになる音声構成リスト322中で維持されている既知の音声構成と、ネットワーク112から受信された最新音声構成324を比較することができる。実際、音声構成リスト322中の音声構成と最新音声構成324の比較の結果に基づいて、判断構成要素246は、最新音声構成324が音声構成リスト322上に記載されているかどうか、したがって、UE DTXが有効化されるか、それとも有効化されないかを判断する。
【００２８】
呼処理構成要素240はまた、UEの最新音声構成が音声構成のリスト中の音声構成と一致するときに、UEにおいてアップリンクUE DTXを有効化することが可能な有効化構成要素248を含むように構成され得る。たとえば、音声構成324が音声構成リスト322の中にあると判断構成要素246が判断した場合、有効化構成要素248は、アップリンク送信を選択的に無効化し、たとえば、アップリンクUE DTX326を生成するように構成される。
【００２９】
また、有効化構成要素248は、ワイヤレス通信システム100上のUE限定DTXへの影響を緩和するための他の解決策を含み得る。
【００３０】
第一に、UE DTXを実行している呼処理構成要素240は、アップリンクUE DTX326の生成を制限して、ネットワーク112へのアップリンクトラフィックを控え、ネットワーク112からのダウンリンクトラフィックを控えないように構成され得る。これは、専用制御チャネル(DCCH)または専用トラフィックチャネル(DTCH)が悪影響を及ぼされないようにする。また、ネットワーク112へのアップリンクトラフィックのみを制限することによって、DCCHを介したシグナリングメッセージは悪影響を及ぼされず、それによって呼保持問題を防止する。
【００３１】
第二に、UE DTXを実行している呼処理構成要素240は、アップリンクUE DTX326を生成して、パイロット信号、トランスポートフォーマット組合せインジケータ(TFCI)、およびフィードバック情報(FBI)ビットの送信を無効化または制限し、送信電力制御(TPC)ビットを送信するように構成され得る。TPCビットは依然としてTXで送られることになるので、TPCビットは、DL電力を調整するために依然として使用されてよく、これにより、DL上のTXスマートブランキングの影響を限定し得る。
【００３２】
その上、一態様では、呼処理構成要素240は、音声構成に従って送信を処理することに関連して音声パケットに基づいてUE DTXを実行するように構成され得る。特に、この場合、呼処理構成要素240は、トランスポートブロック、したがって音声パケットがシステム識別子(SID)ブロックのヌルであるときはいつでも、UE DTXをアクティブ化する。
【００３３】
別の態様では、呼処理構成要素240は、送信時間間隔(TTI)の後半でスマートブランキングすることが可能なスマートブランキング構成要素342を含むように構成され得る。たとえば、アップリンクUE DTX326を有効化または制限した後、スマートブランキング構成要素342は、以下でさらに説明するように、ネットワーク112に送信されたアップリンク信号の送信時間間隔(TTI)の後半をスマートブランキングする、たとえば、TTIの後半の送信の少なくとも一部を中止またはブロックするように構成され得る。
【００３４】
上述のように、UE DTXおよび/またはスマートブランキングにより、トラフィックフレームのいくつかの部分は、トラフィックパターンが大きい非アクティビティ期間を有するときには送信されない。実際、背景雑音の特性が大幅に変わらない限り、背景雑音は送信されなくてよい。たとえば、アップリンクUE DTX326を有効化した後に、スマートブランキング構成要素342は、TTIの後半の一部におけるアップリンク信号が、重要ではない背景雑音を含み得るので送信されないように構成され得る。たとえば、AMR音声呼中、DTCHは一般的に20msの長さであり、10msのTFCIがTTIの前半および後半で2回繰り返される。TTIの前半の後、ネットワーク112はTFCIを確実に認識しているので、後半に発生するスマートブランキングは、TFCIの復号パフォーマンスを妨害しない。したがって、20msの一般的DTCHの場合、TTIの後半におけるスマートブランキングは、DTCHの第2の10msで、言い換えれば、DTCHで発生する第2のTFCIで発生し得る。
【００３５】
また別の態様では、スマートブランキング構成要素342はまた、TTIの各フレーム内の異なるロケーションでスマートブランキングすることが可能であり得る。たとえば、スマートブランキング構成要素342は、TTIの第1のフレームの1つまたは複数のロケーションにおいて1つまたは複数のビットをブランキングし、さらにTTIの第2のフレームの1つまたは複数のロケーションにおいて1つまたは複数のビットをブランキングするように実行され得る。TTIの各フレーム内の異なるロケーションでスマートブランキングする際に、第1のフレームにおいてブランキングされるビットのロケーションは、第2のフレームにおいてブランキングされるビットのロケーションとは異なることに留意されたい。たとえば、上述のように、10msのTFCIが20msのDTCH内で2回繰り返されるので、異なるTFCIビットでスマートブランキングを実行することは、TFCIを20msの持続時間全体の中に確実に置くことに寄与するはずである。
【００３６】
UE DTXおよび/またはスマートブランキングは、1つの比較的長いスマートブランキングブロックではなく、複数の比較的短い持続時間ブロックで構成され得ることにも留意されたい。実際、これは、送信期間の間に複数の短いスマートブランキングを実行することがネットワーク112とUE114との同期を維持することに寄与する形で、ネットワーク112に対する影響を限定する。たとえば、単一の長いブロックに対して複数の短い持続時間ブロックでのUE DTXおよび/またはスマートブランキングは、限定はしないが、UE114のアップリンク送信中の、20msのTTI中の1つの比較的長い6msまたは9msのブロックでのUE DTXおよび/またはスマートブランキングに対して、20msのTTI内の2msまたは3msのスマートブランキングを含み得る。
【００３７】
さらに、一態様では、UE DTXおよび/またはスマートブランキングは、送信電力レベルがしきい値を下回るときに用いられ得る。たとえば、UE114が必要とするよりも大きい電力をネットワーク112が送信していることを一般に示す、ネットワーク112からの過剰なダウンリンク信号対干渉比(SIR)があるときである。これは、UE114が非常に良好な信号状況に直面していること、および/またはネットワーク112がTX下限(TX floor)で送信していること、および/またはUE114がNodeBへの良好な見通し線を有することを意味する。したがって、UEからの送信の追加のUE DTXおよび/またはスマートブランキングには、ネットワーク容量全体にさほど影響を及ぼさないと想定されるものがあり、この場合には有益ではない。
【００３８】
また、同様に、低いTX電力で送信することは、UE114が良好な信号状況に直面していることを意味する。一般的に、UEの電力消費は、UEがTX電力しきい値レベル未満で送信しているときにTX電力の増加に伴ってそれほど増加しない。したがって、低いTX電力しきい値レベルでTX電力が増加した場合、UE DTXおよび/またはスマートブランキングを有効化することによるUE電力消費利得は相殺されない。したがって、UE114でのUE DTXおよび/またはスマートブランキングは、送信電力レベルがしきい値を下回るときに最も良好に用いられ得る。
【００３９】
別の態様では、呼処理構成要素240はまた、ネットワークからダウンリンク中に受信された送信電力制御(TPC)シンボルを無視することが可能なTPC無視構成要素344を含むように構成され得る。言い換えれば、TPC無視構成要素344は、DTXされたスロットのすぐ次のUEによって送信されたスロットに対応するDLにおいてNodeBによって送信されたTPCシンボルを無視することができる。実際、UE114は、ULのn番目のスロットがDTXされた場合にDLの(n+1)番目のスロットにおけるTPCコマンドを無視するが、その理由は、ULにおいてn番目のスロットがDTXされた場合、ネットワーク112は次のスロット(たとえば、(n+1)番目のスロット)のUPコマンドを送信することにある。これは、この一方向のDTX実行のために予測可能であり得るので、UE114はネットワーク112からダウンリンク中に受信されたTPCシンボルを無視する。
【００４０】
図4は、ワイヤレス通信の方法400の一態様を示すフロー図である。452において、方法400は、UE DTXをトリガすることになる音声構成のリストを維持するステップを含む。たとえば、図2を参照すると、維持構成要素242は、UE114内に位置しており、UE114でUE DTXを有効化する、したがってトリガすることになる1つまたは複数の既知の音声構成を含む音声構成リスト322を維持するように構成され得る。上述のように、音声構成リスト322は、少なくとも、1つまたは複数のAMR音声構成を含み、それらの各々は、UE114のTX動作を変更する時および期間を決定するか、または決定するために使用され得る。
【００４１】
454において、方法400は、ネットワークからUEについての最新音声構成を受信するステップを含む。たとえば、ネットワーク112との呼の確立中に、UE114はネットワーク112から最新音声構成324を受信し得る。最新音声構成324は、たとえば、ネットワーク112と通信するためにUE114によって使用される、音声構成を一意に識別し得る識別子、ならびに1つまたは複数のパラメータ、値または設定を含み得る。
【００４２】
456において、方法400は、ネットワークから受信されたUEの最新音声構成が、UE DTXをトリガすることになる音声構成のリストの中にあると判断するステップを含む。たとえば、ネットワーク112から最新音声構成324を受信した後に、判断構成要素246は、最新音声構成324が音声構成リスト322内の既知の音声構成と一致すると判断するように構成される。たとえば、最新音声構成324の識別子および/または1つもしくは複数のパラメータが、音声構成リスト322中の1つまたは複数の音声構成の識別子および/または1つもしくは複数のパラメータと比較されて、一致が判断され得る。一致が見出されたとき、最新音声構成324の特性、たとえば、パラメータ、値などは、UE DTXのためにUE114のTX動作を変更する時および期間を定義するか、またはさもなければ決定するために使用され得る。
【００４３】
458において、方法400は、UEの最新音声構成が音声構成のリストの中にあるときに、UEにおいてアップリンクUE DTXを有効化するステップを含む。たとえば、音声構成324が音声構成リスト322の中にあると判断構成要素246が判断した場合に、有効化構成要素248は、アップリンクUE DTX326を有効化するように構成される。たとえば、アップリンク送信がUE DTX326中で中止される時および期間は、音声構成324の特性に応じたものであり得る。
【００４４】
一態様では、たとえば、方法400は、呼処理構成要素240(図1〜図3)またはそれのそれぞれのサブ構成要素を実行しているUE114またはネットワーク112(図1および図2)によって行われ得る。
【００４５】
図5は、ネットワーク環境内のUE限定DTXスマートブランキングを実行するための方法400を実行する呼処理構成要素240(図1〜図3)を含むように構成された1つまたは複数の小規模セルの展開を可能にする例示的な通信システムを示している。図5に示すように、システム500は、アクセスポイント基地局またはたとえばHNB510などのホームノードBユニット(HNB)とも呼ばれる複数の小規模セルを含み、各々は対応する小規模ネットワーク環境に、たとえば1つまたは複数のユーザ滞在地530に接置されている。各HNB510は、関連するユーザ機器(UE)520ならびに異質のUE520にサービスするように構成され得る。また、各HNB510は、DSLルータ(図示せず)、または代わりにケーブルモデム(図示せず)を介して、インターネット540および携帯電話会社コアネットワーク560にさらに結合される。
【００４６】
本明細書で説明する態様は3GPP用語を使用しているが、実施形態が3GPP(Rel99、Rel5、Rel6、Rel7)技術、ならびに3GPP2(1xRTT、1xEV-DO Rel0、RevA、RevB)技術、ならびに他の既知のおよび関連する技術に適用され得ることを理解されたい。本明細書で説明するそのような態様では、HNB510の所有者は、携帯電話会社コアネットワーク560によって提供される、たとえば3Gモバイルサービスなどのモバイルサービスに加入し、UE520は、マクロセルラー環境と宅内の小規模ネットワーク環境の両方において動作することが可能である。したがって、HNB510は、任意の既存のUE520との後方互換性がある。
【００４７】
さらに、マクロセルモバイルネットワーク560に加えて、いくつかの態様では、UE520は、一定の数のHNB510、すなわち、ユーザ滞在地530内にあるHNB510によってサービスされるだけであり得、マクロネットワーク560によるソフトハンドオーバ状態にはなり得ない。いくつかの態様では、UE520は、マクロネットワーク560またはHNB510のいずれかと通信することはできるが、両方同時に通信することはできない。HNB510と通信する許可がUE520に与えられている限り、ユーザ滞在地内で、UE520が関連するHNB510とのみ通信することが望まれる。
【００４８】
図6を参照すると、一態様では、呼処理構成要素240(図1〜図3)を含むUE114は、特別にプログラムまたは構成されたコンピュータデバイス600によって表され得る。一態様では、コンピュータデバイス600は、たとえば、特別にプログラムされたコンピュータ可読命令もしくはコード、ファームウェア、ハードウェア、またはそれらの何らかの組合せの中に呼処理構成要素240(図1〜図3)を含み得る。コンピュータデバイス600は、維持構成要素242、受信構成要素244、判断構成要素246および有効化構成要素248などの、本明細書で説明する構成要素および機能のうちの1つまたは複数に関連する処理機能を実行するためのプロセッサ602を含む。プロセッサ602は、1組または複数組のプロセッサまたはマルチコアプロセッサを含むことができる。さらに、プロセッサ602は、統合処理システムおよび/または分散処理システムとして実現され得る。
【００４９】
コンピュータデバイス600は、本明細書で使用するデータ、および/またはプロセッサ602によって実行されているアプリケーションのローカルバージョンを記憶するなどのためのメモリ604をさらに含む。メモリ604には、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリが含まれ得る。
【００５０】
さらに、コンピュータデバイス600は、本明細書で説明するように、ハードウェア、ソフトウェア、およびサービスを利用して、1つまたは複数の相手との通信を確立し維持することを可能にする、通信構成要素606を含む。通信構成要素606は、コンピュータデバイス600上の構成要素間の通信、ならびに、コンピュータデバイス600と、通信ネットワーク上に位置するデバイス、および/またはコンピュータデバイス600に直列もしくはローカルに接続されたデバイスなどの外部デバイスとの間の通信を伝え得る。たとえば、通信構成要素606は、1つまたは複数のバスを含んでもよく、外部デバイスとのインターフェースをとるように動作可能な、送信機および受信機にそれぞれ関連付けられる送信チェーン構成要素および受信チェーン構成要素、またはトランシーバをさらに含んでもよい。追加の態様では、通信構成要素606は、1つまたは複数の加入者ネットワークから1つまたは複数のページを受信するように構成され得る。さらなる態様では、そのようなページは、第2の加入に対応することができ、第1の技術タイプの通信サービスを介して受信され得る。
【００５１】
さらに、コンピュータデバイス600は、データストア608をさらに含み得、データストア608は、本明細書で説明する態様に関連して採用される情報、データベース、およびプログラムの大容量ストレージを実現する、ハードウェアおよび/またはソフトウェアの任意の適切な組合せであり得る。たとえば、データストア608は、プロセッサ602によって現在実行されていないアプリケーションおよび/または任意のしきい値もしくは指位置値のためのデータリポジトリであり得る。
【００５２】
コンピュータデバイス600は、さらに、コンピュータデバイス600のユーザから入力を受信するように動作可能であり、ユーザへの提示のための出力を生成するようにさらに動作可能な、ユーザインターフェース構成要素610を含み得る。ユーザインターフェース構成要素610は、限定はしないが、キーボード、ナンバーパッド、マウス、タッチセンサ式ディスプレイ、ナビゲーションキー、ファンクションキー、マイクロフォン、音声認識構成要素、ユーザからの入力を受信することが可能な任意の他の機構、またはそれらの任意の組合せを含む、1つまたは複数の入力デバイスを含み得る。さらに、ユーザインターフェース構成要素610は、限定はしないが、ディスプレイ、スピーカー、触覚フィードバック機構、プリンタ、ユーザに出力を提示することが可能な任意の他の機構、またはそれらの任意の組合せを含む、1つまたは複数の出力デバイスを含み得る。
【００５３】
図7は、UE限定DTXスマートブランキングを実行するための方法400などの、本開示の態様を実行するための処理システム714を使用する、たとえば呼処理構成要素240(図1〜図3)を含む、装置700のハードウェア実装の一例を示すブロック図である。この例では、処理システム714は、バス702によって全般的に表されるバスアーキテクチャで実装され得る。バス702は、処理システム714の特定の適用例および全体的な設計制約に応じて、任意の数の相互接続するバスおよびブリッジを含むことができる。バス702は、プロセッサ704によって全般的に表される1つまたは複数のプロセッサと、コンピュータ可読媒体706によって全般的に表されるコンピュータ可読媒体と、限定はしないが、呼処理構成要素240(図1)など、本明細書で説明する1つまたは複数の構成要素とを含む、様々な回路を互いにリンクさせる。バス702は、タイミングソース、周辺機器、電圧調整器、および電力管理回路などの様々な他の回路をリンクさせることもできるが、これらの回路は当技術分野でよく知られており、したがってこれ以上は説明しない。バスインターフェース708は、バス702とトランシーバ710との間のインターフェースを与える。トランシーバ710は、送信媒体を介して様々な他の装置と通信するための手段を与える。装置の性質に応じて、ユーザインターフェース712(たとえば、キーパッド、ディスプレイ、スピーカー、マイクロフォン、ジョイスティックなど)も設けられ得る。
【００５４】
プロセッサ704は、バス702の管理、およびコンピュータ可読媒体706に記憶されたソフトウェアの実行を含む全体的な処理を受け持つ。ソフトウェアは、プロセッサ704によって実行されたとき、任意の特定の装置の以下で説明する様々な機能を処理システム714に実行させる。コンピュータ可読媒体706は、ソフトウェアを実行するときにプロセッサ704によって操作されるデータを記憶するためにも使用され得る。
【００５５】
図8は、ワイヤレス通信システム100(図1)の様々な装置を使用するLong Term Evolution(LTE)ネットワークアーキテクチャ800を示す図であり、UE限定DTXスマートブランキングを実行するための方法400を実施するように構成された呼処理構成要素240(図1)を含むように構成された1つまたは複数の小規模セルを含むことができる。LTEネットワークアーキテクチャ800は、発展型パケットシステム(EPS)800と呼ばれる場合がある。EPS800は、1つまたは複数のユーザ機器(UE)802、発展型UMTS Terrestrial Radio Access Network(E-UTRAN)804、発展型パケットコア(EPC)880、ホーム加入者サーバ(HSS)820、および事業者のIPサービス822を含み得る。EPSは、他のアクセスネットワークと相互接続することができるが、簡単のために、それらのエンティティ/インターフェースは図示されていない。図示のように、EPSはパケット交換サービスを提供するが、当業者が容易に諒解するように、本開示の全体を通して提示される様々な概念は、回線交換サービスを提供するネットワークに拡張され得る。
【００５６】
E-UTRANは、発展型Node B(eNB)806および他のeNB808を含む。eNB806は、UE802に対してユーザプレーンプロトコル終端と制御プレーンプロトコル終端とを与える。eNB808は、X2インターフェース(すなわち、バックホール)を介して他のeNB808に接続され得る。eNB806は、当業者によって、基地局、トランシーバ基地局、無線基地局、無線トランシーバ、トランシーバ機能、基本サービスセット(BSS)、小規模セル、拡張サービスセット(ESS)と呼ばれるか、または何らかの他の適切な用語で呼ばれることもある。eNB806は、UE802にEPC880へのアクセスポイントを与える。UE802の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスがある。UE802はまた、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアントと呼ばれるか、または他の何らかの適切な用語で呼ばれることもある。
【００５７】
eNB806は、S1インターフェースによってEPC880に接続される。EPC880は、モビリティ管理エンティティ(MME)862、他のMME864、サービングゲートウェイ866、およびパケットデータネットワーク(PDN)ゲートウェイ868を含む。MME862は、UE802とEPC880との間のシグナリングを処理する制御ノードである。一般に、MME862は、ベアラおよび接続の管理を行う。すべてのユーザIPパケットは、サービングゲートウェイ866を介して転送され、サービングゲートウェイ866自体は、PDNゲートウェイ868に接続される。PDNゲートウェイ868は、UEのIPアドレス割振りならびに他の機能を実現する。PDNゲートウェイ868は、事業者のIPサービス822に接続される。事業者のIPサービス822は、インターネット、イントラネット、IPマルチメディアサブシステム(IMS)、およびPSストリーミングサービス(PSS)を含む。
【００５８】
図9を参照すると、UTRANアーキテクチャにおけるアクセスネットワーク900が示されており、UE限定DTXスマートブランキングを実行するための方法400を実行するように動作する呼処理構成要素240(図1)を含むように構成された1つもしくは複数の基地局もしくは小規模セルまたは1つもしくは複数のUEを含むことができる。多元接続ワイヤレス通信システムは、セル902、904、および906を含む複数のセルラー領域(セル)を含み、セルの各々は、1つまたは複数のセクタを含み得る。複数のセクタはアンテナのグループによって形成されてよく、各アンテナがセルの一部分にあるUEとの通信を担う。たとえば、セル902において、アンテナグループ912、914、および916は、各々異なるセクタに対応し得る。セル904において、アンテナグループ918、920、および922は、各々異なるセクタに対応する。セル906において、アンテナグループ924、926、および928は、各々異なるセクタに対応する。セル902、904、および906は、各セル902、904、または906の1つまたは複数のセクタと通信していてもよい、いくつかのワイヤレス通信デバイス、たとえばユーザ機器すなわちUEを含み得る。たとえば、UE930および932は、NodeB942と通信していてもよく、UE934および936は、NodeB944と通信していてもよく、UE938および940は、NodeB946と通信していてもよい。ここで、各NodeB942、944、946は、それぞれのセル902、904、および906の中のすべてのUE930、932、934、936、938、940にアクセスポイントを提供するように構成される。
【００５９】
UE934がセル904における図示された位置からセル906に移動するとき、サービングセル変更(SCC)またはハンドオーバが生じることがあり、UE934との通信が、ソースセルと呼ばれ得るセル904からターゲットセルと呼ばれ得るセル906に移行する。UE934において、それぞれのセルに対応するNodeBにおいて、EPC880(図8)において、またはワイヤレスネットワークにおける別の適切なノードにおいて、ハンドオーバ手順の管理が生じ得る。たとえば、ソースセル904との呼の間、または任意の他の時間において、UE934は、ソースセル904の様々なパラメータ、ならびに、セル906および902などの近隣セルの様々なパラメータを監視し得る。さらに、これらのパラメータの品質に応じて、UE934は、近隣セルの1つまたは複数との通信維持することができる。この期間において、UE934は、アクティブセット、すなわち、UE934が同時に接続されるセルのリストを維持することができる(たとえば、ダウンリンク専用物理チャネルDPCHまたはフラクショナルダウンリンク専用物理チャネルF-DPCHを現在UE934に割り当てているUTRAセルが、アクティブセットを構成し得る)。いずれの場合も、UE934は、本明細書で説明する再選択動作を実行するために、再選択マネージャ104を実行し得る。
【００６０】
さらに、アクセスネットワーク900によって利用される変調方式および多元接続方式は、導入されている特定の電気通信規格に応じて異なる場合がある。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA)およびTD-SCDMAなどのCDMAの他の変形形態を用いるUniversal Terrestrial Radio Access(UTRA)、TDMAを用いるモバイル通信用グローバルシステム(GSM(登録商標))、ならびにOFDMAを用いる発展型UTRA(E-UTRA)、Ultra Mobile Broadband(UMB)、IEEE 902.11(Wi-Fi)、IEEE 902.16(WiMAX)、IEEE 902.20、およびFlash-OFDMであり得る。UTRA、E-UTRA、UMTS、LTE、LTE Advanced、およびGSM(登録商標)は、3GPP団体による文書に記述されている。CDMA2000およびUMBは、3GPP2団体による文書に記述されている。採用される実際のワイヤレス通信規格および多元接続技術は、特定の適用例およびシステムに課される全体的な設計制約に依存することになる。
【００６１】
図10は、UE114(図1)と同一または同様であり得る、UE限定DTXスマートブランキングを実行するための方法400を実行するように動作可能な呼処理構成要素240(図1〜図3)を含み得る、UE1050と通信しているNodeB1010のブロック図である。ダウンリンク通信では、送信プロセッサ1020は、データソース1012からデータを受信し、コントローラ/プロセッサ1040から制御信号を受信し得る。送信プロセッサ1020は、データ信号および制御信号ならびに基準信号(たとえばパイロット信号)のための様々な信号処理機能を提供する。たとえば、送信プロセッサ1020は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を提供し得る。チャネルプロセッサ1044からのチャネル推定値は、コントローラ/プロセッサ1040によって送信プロセッサ1020のためのコーディング方式、変調方式、拡散方式、および/またはスクランブリング方式を判断するために使用され得る。これらのチャネル推定値は、UE1050によって送信される基準信号から導出され得るか、またはUE1050からのフィードバックから導出され得る。送信プロセッサ1020によって生成されたシンボルは、フレーム構造を作成するために、送信フレームプロセッサ1030に与えられる。送信フレームプロセッサ1030は、コントローラ/プロセッサ1040からの情報とシンボルとを多重化することによって、このフレーム構造を作成し、一連のフレームを生じさせる。次いでこれらのフレームは送信機1032に与えられ、送信機1032は、アンテナ1034を通じたワイヤレス媒体によるダウンリンク送信のために、増幅、フィルタリング、およびフレームのキャリア上への変調を含む、様々な信号調整機能を提供する。アンテナ1034は、たとえば、ビームステアリング双方向適応アンテナアレイまたは他の同様のビーム技術を含む、1つまたは複数のアンテナを含み得る。
【００６２】
UE1050において、受信機1054は、アンテナ1052を通じてダウンリンク送信を受信し、その送信を処理してキャリア上に変調された情報を復元する。受信機1054によって復元された情報は、受信フレームプロセッサ1060に与えられ、受信フレームプロセッサ1060は、各フレームを解析し、フレームからの情報をチャネルプロセッサ1094に提供し、データ信号、制御信号、および基準信号を受信プロセッサ1070に提供する。受信プロセッサ1070は次いで、NodeB1010中の送信プロセッサ1020によって実行される処理の逆を実行する。より具体的には、受信プロセッサ1070は、シンボルを逆スクランブルおよび逆拡散し、次いで変調方式に基づいて、NodeB1010によって送信された、最も可能性の高い信号配列点を求める。これらの軟判定は、チャネルプロセッサ1094によって計算されるチャネル推定値に基づき得る。そして軟判定は、データ信号、制御信号、および基準信号を復元するために、復号されてデインターリーブされる。次いで、フレームの復号に成功したかどうかを判断するために、CRCコードが検査される。次いで、復号に成功したフレームによって搬送されたデータがデータシンク1072に供給され、データシンク1072は、UE1050および/または様々なユーザインターフェース(たとえば、ディスプレイ)において実行されているアプリケーションを表す。復号に成功したフレームによって搬送された制御信号は、コントローラ/プロセッサ1090に供給される。受信プロセッサ1070によるフレームの復号が失敗すると、コントローラ/プロセッサ1090はまた、確認応答(ACK)プロトコルおよび/または否定応答(NACK)プロトコルを使用して、そうしたフレームの再送信要求をサポートし得る。
【００６３】
アップリンクでは、データソース1078からのデータおよびコントローラ/プロセッサ1090からの制御信号が、送信プロセッサ1080に供給される。データソース1078は、UE1050で実行されているアプリケーションおよび様々なユーザインターフェース(たとえば、キーボード)を表し得る。NodeB1010によるダウンリンク送信に関して説明する機能と同様に、送信プロセッサ1080は、CRCコード、FECを支援するための符号化およびインターリービング、信号配列へのマッピング、OVSFによる拡散、および、一連のシンボルを生成するためのスクランブリングを含む、様々な信号処理機能を提供する。NodeB1010によって送信される基準信号から、または、NodeB1010によって送信されるミッドアンブル中に含まれるフィードバックから、チャネルプロセッサ1094によって導出されるチャネル推定値が、適切な符号化方式、変調方式、拡散方式、および/またはスクランブリング方式を選択するために使用され得る。送信プロセッサ1080によって生成されたシンボルは、フレーム構造を作成するために、送信フレームプロセッサ1082に供給される。送信フレームプロセッサ1082は、コントローラ/プロセッサ1090からの情報とシンボルとを多重化することによって、このフレーム構造を作成し、一連のフレームを生じさせる。次いでこれらのフレームは送信機1056に与えられ、送信機1056は、アンテナ1052を通じたワイヤレス媒体によるアップリンク送信のために、増幅、フィルタリング、およびフレームのキャリア上への変調を含む、様々な信号調整機能を提供する。
【００６４】
アップリンク送信は、UE1050において受信機機能に関して説明したのと同様の方式で、NodeB1010において処理される。受信機1035は、アンテナ1034を通じてアップリンク送信を受信し、その送信を処理してキャリア上に変調された情報を復元する。受信機1035によって復元された情報は、受信フレームプロセッサ1036に与えられ、受信フレームプロセッサ1036は、各フレームを解析し、フレームからの情報をチャネルプロセッサ1044に提供し、データ信号、制御信号、および基準信号を受信プロセッサ1038に提供する。受信プロセッサ1038は、UE1050中の送信プロセッサ1080によって実行された処理の逆を実行する。次いで、復号に成功したフレームによって搬送されたデータ信号および制御信号が、データシンク1039およびコントローラ/プロセッサにそれぞれ供給され得る。フレームの一部が、受信プロセッサによる復号に失敗すると、コントローラ/プロセッサ1040はまた、確認応答(ACK)プロトコルおよび/または否定応答(NACK)プロトコルを使用して、そうしたフレームの再送信要求をサポートし得る。
【００６５】
コントローラ/プロセッサ1040および1090は、それぞれNodeB1010およびUE1050における動作を指示するために使われ得る。たとえば、コントローラ/プロセッサ1040および1090は、タイミング、周辺インターフェース、電圧調整、電力管理、および他の制御機能を含む、様々な機能を提供し得る。メモリ1042および1092のコンピュータ可読媒体は、それぞれ、NodeB1010およびUE1050のためのデータおよびソフトウェアを記憶することができる。NodeB1010におけるスケジューラ/プロセッサ1046は、リソースをUEに割り振り、UEのダウンリンク送信および/またはアップリンク送信をスケジューリングするために、使われ得る。
【００６６】
W-CDMAシステムに関して電気通信システムのいくつかの態様を提示した。当業者なら容易に諒解するように、本開示全体にわたって説明した様々な態様は、他の通信システム、ネットワークアーキテクチャおよび通信規格に拡張され得る。
【００６７】
例として、様々な態様は、他のUMTSシステム、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、(FDDモード、TDDモード、またはその両方の)Long Term Evolution(LTE)、(FDDモード、TDDモード、またはその両方の)LTEアドバンスト(LTE-A)、CDMA2000、Evolution-Data Optimized(EV-DO)、Ultra Mobile Broadband(UMB)、IEEE802.11(Wi-Fi)、IEEE802.16(WiMAX)、IEEE802.20、Ultra-Wideband(UWB)、Bluetooth(登録商標)、および/または他の適切なシステムを採用するシステムに拡張され得る。採用される実際の電気通信規格、ネットワークアーキテクチャ、および/または通信規格は、特定の適用例およびシステム全体に課される設計制約に依存することになる。
【００６８】
本開示の様々な態様によれば、要素または要素の一部分または要素の組合せは、1つまたは複数のプロセッサを含む「処理システム」を用いて実装され得る。プロセッサの例としては、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するように広く解釈されるべきである。ソフトウェアはコンピュータ可読媒体上に存在し得る。コンピュータ可読媒体は、非一時的コンピュータ可読媒体であり得る。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスしかつ読み取ることができるソフトウェアおよび/または命令を記憶するための任意の他の適切な媒体を含む。
【００６９】
また、コンピュータ可読媒体は、例として、搬送波、伝送路、ならびにコンピュータがアクセスしかつ読み取ることができるソフトウェアおよび/または命令を送信するための任意の他の適切な媒体も含み得る。コンピュータ可読媒体は、処理システム中に存在し得、処理システムの外に存在し得、または処理システムを含む複数のエンティティにわたって分散され得る。コンピュータ可読媒体は、コンピュータプログラム製品で具現化され得る。例として、コンピュータプログラム製品は、パッケージング材料内のコンピュータ可読媒体を含み得る。当業者なら、特定の適用例およびシステム全体に課される全体的な設計制約に応じて、どのようにして本開示全体にわたって提示する説明した機能を、最善の形で実装することができるかを認識されよう。
【００７０】
開示した方法中のステップの特定の順序または階層は、例示的なプロセスの一例であることを理解されたい。設計上の選好に基づいて、方法におけるステップの特定の順序または階層は再構成可能であることを理解されたい。添付の方法クレームは、様々なステップの要素を例示的な順序で提示したものであり、それらの請求項に特に記載されていない限り、提示された特定の順序または階層に限定されるものではない。
【００７１】
前述の説明は、本明細書に記載された様々な態様を、いかなる当業者も実践することを可能にするために提供するものである。これらの態様への様々な変更は当業者には容易に明らかであり、本明細書で定義された一般的な原理は他の態様に適用され得る。したがって、特許請求の範囲は本明細書で示す態様に限定されるよう意図されているわけではなく、特許請求の範囲の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目の列挙「のうちの少なくとも1つ」という語句は、単一の要素を含め、それらの項目の任意の組合せを指す。一例として、「a、b、またはcのうちの少なくとも1つ」は、a、b、c、aおよびb、aおよびc、bおよびc、ならびにa、bおよびcをカバーするよう意図されている。その上、本明細書で開示するいかなる内容も、そのような開示が特許請求の範囲に明示されているかどうかに関係なく、公共目的となるよう意図されてはいない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されるべきではない。
【符号の説明】
【００７２】
100  ワイヤレス通信システム
104  再選択マネージャ
112  ネットワーク
114  UE
116  ワイヤレスサービングノード
123  信号
124  信号
125  ワイヤレスリンク
240  呼処理構成要素
242  維持構成要素
244  受信構成要素
246  判断構成要素
248  有効化構成要素
322  音声構成リスト
324  最新音声構成、音声構成
326  アップリンクUE DTX、UE DTX
342  スマートブランキング構成要素
344  送信電力制御(TPC)無視構成要素
400  方法
500  システム
510  HNB
520  ユーザ機器(UE)
530  ユーザ滞在地
540  インターネット
560  携帯電話会社コアネットワーク、マクロセルモバイルネットワーク、マクロネットワーク
600  コンピュータデバイス
602  プロセッサ
604  メモリ
606  通信構成要素
608  データストア
610  ユーザインターフェース構成要素
700  装置
702  バス
704  プロセッサ
706  コンピュータ可読媒体
708  バスインターフェース
710  トランシーバ
712  ユーザインターフェース
714  処理システム
800  Long Term Evolution(LTE)ネットワークアーキテクチャ、発展型パケットシステム(EPS)
802  ユーザ機器(UE)
804  発展型UMTS Terrestrial Radio Access Network(E-UTRAN)
806  発展型Node B(eNB)
808  他のeNB
820  ホーム加入者サーバ(HSS)
822  事業者のIPサービス
862  モビリティ管理エンティティ(MME)
864  他のMME
866  サービングゲートウェイ
868  パケットデータネットワーク(PDN)ゲートウェイ
880  発展型パケットコア(EPC)
900  アクセスネットワーク
902  セル
904  セル、ソースセル
906  セル
912  アンテナグループ
914  アンテナグループ
916  アンテナグループ
918  アンテナグループ
920  アンテナグループ
922  アンテナグループ
924  アンテナグループ
926  アンテナグループ
928  アンテナグループ
930  UE
932  UE
934  UE
936  UE
938  UE
940  UE
942  NodeB
944  NodeB
946  NodeB
1010  NodeB
1012  データソース
1020  送信プロセッサ
1030  送信フレームプロセッサ
1032  送信機
1034  アンテナ
1035  受信機
1036  受信フレームプロセッサ
1038  受信プロセッサ
1039  データシンク
1040  コントローラ/プロセッサ
1042  メモリ
1044  チャネルプロセッサ
1046  スケジューラ/プロセッサ
1050  UE
1052  アンテナ
1054  受信機
1056  送信機
1060  受信フレームプロセッサ
1070  受信プロセッサ
1072  データシンク
1078  データソース
1080  送信プロセッサ
1082  送信フレームプロセッサ
1090  コントローラ/プロセッサ
1092  メモリ
1094  チャネルプロセッサ
【図１】
0005977472.tif 000002
【図２】
0005977472.tif 000003
【図３】
0005977472.tif 000004
【図４】
0005977472.tif 000005
【図５】
0005977472.tif 000006
【図６】
0005977472.tif 000007
【図７】
0005977472.tif 000008
【図８】
0005977472.tif 000009
【図９】
0005977472.tif 000010
【図１０】
0005977472.tif 000011